(57)【要約】【課題】再生中に着脱式の記憶媒体が着脱された場合でも、再生を継続しながら再生管理情報を適切に更新することにより、再生装置の使い勝手を向上する。【解決手段】第１の記憶媒体と、第２の記憶媒体を着脱自在に装着する記憶媒体装着手段と、第１の記憶媒体及び記憶媒体装着手段に装着された第２の記憶媒体に記憶されているコンテンツデータのリストでなる再生管理情報を作成する管理情報作成手段と、再生管理情報に従って、第１の記憶媒体及び記憶媒体装着手段に装着された第２の記憶媒体からコンテンツデータを読み出して再生する再生手段と、第１の記憶媒体に記憶されているコンテンツデータの再生中に第２の記憶媒体が着脱されたとき、当該再生中のコンテンツデータを再生しながら第２の記憶媒体の有無に応じて再生管理情報を更新する管理情報更新手段とを再生装置に設けた。【選択図】  図２
2004240832.tif 000002
【特許請求の範囲】
【請求項１】
第１の記憶媒体と、
第２の記憶媒体を着脱自在に装着する記憶媒体装着手段と、
上記第１の記憶媒体及び上記記憶媒体装着手段に装着された上記第２の記憶媒体に記憶されているコンテンツデータのリストでなる再生管理情報を作成する管理情報作成手段と、
上記再生管理情報に従い、上記第１の記憶媒体又は上記記憶媒体装着手段に装着された上記第２の記憶媒体から上記コンテンツデータを読み出して再生する再生手段と、
上記第１の記憶媒体に記憶されている上記コンテンツデータの再生中に上記第２の記憶媒体が着脱されたとき、当該再生中の上記コンテンツデータを再生しながら当該第２の記憶媒体の有無に応じて上記再生管理情報を更新する管理情報更新手段と
を具えることを特徴とする再生装置。
【請求項２】
上記再生手段は、上記コンテンツデータの再生中に上記第２の記憶媒体が着脱されたとき、当該再生中の上記コンテンツデータの再生終了後、更新された上記管理情報更新手段に従って上記コンテンツデータを再生する
ことを特徴とする請求項１に記載の再生装置。
【請求項３】
第１の記憶媒体と、第２の記憶媒体を着脱自在に装着する記憶媒体装着手段とを有する再生装置の再生管理方法において、
上記第１の記憶媒体及び上記記憶媒体装着手段に装着された上記第２の記憶媒体に記憶されているコンテンツデータのリストでなる再生管理情報を作成する管理情報作成ステップと、
上記再生管理情報に従い、上記第１の記憶媒体又は上記記憶媒体装着手段に装着された上記第２の記憶媒体から上記コンテンツデータを読み出して再生する再生ステップと、
上記第１の記憶媒体に記憶されている上記コンテンツデータの再生中に上記第２の記憶媒体が着脱されたとき、当該再生中の上記コンテンツデータを再生しながら当該第２の記憶媒体の有無に応じて上記再生管理情報を更新する管理情報更新ステップと
を具えることを特徴とする再生管理方法。
【請求項４】
上記再生ステップは、上記コンテンツデータの再生中に上記第２の記憶媒体が着脱されたとき、当該再生中の上記コンテンツデータの再生終了後、更新された上記管理情報更新手段に従って上記コンテンツデータを再生する
ことを特徴とする請求項３に記載の再生管理方法。
【発明の詳細な説明】
【０００１】
【発明の属する技術分野】
本発明は再生装置及び再生管理方法に関し、例えば内蔵記憶媒体と着脱式記憶媒体を併用し得るようになされた携帯型ディジタルプレーヤに適用して好適なものである。
【０００２】
【従来の技術】
近年、例えばフラッシュメモリ等の半導体記憶素子を記憶媒体（メディア）として用い、当該半導体記憶素子に音楽や音声等のオーディオデータを録音及び再生するようにした携帯型ディジタルプレーヤが実用化されている（例えば、特許文献１参照）。かかる携帯型ディジタルプレーヤにおいては、記憶媒体を内蔵したものや、着脱自在になされた着脱式記憶媒体を装着して使用するように構成したものがある。
【０００３】
実際上携帯型ディジタルプレーヤにおいては、記憶媒体に記憶されている各オーディオデータについてのリスト（これをプレイリストと呼ぶ）を作成し、当該プレイリストに従ってオーディオデータを再生するようになされている。
【０００４】
この、再生管理情報としてのプレイリストにおいては、記憶媒体に格納されている各オーディオデータを、トラックと呼ばれる再生単位に割り当てて管理する。各トラックには独自のトラック番号が付せられ、複数又は単数のトラックでグループが構成される。
【０００５】
すなわち図６はプレイリスト５０の構成を示し、例えばグループＧＰ１にはトラック番号１、トラック番号２及びトラック番号３が、グループＧＰ２にはトラック番号４、トラック番号５及びトラック番号６が、グループＧＰ３にはトラック番号７及びトラック番号８が示されている。因みにグループＧＰ１〜グループＧＰ３とは、例えばアルバムＣＤ（Ｃｏｍｐａｃｔ  Ｄｉｓｋ）１枚毎に付けられたグループ名や、ユーザが任意に複数トラックをまとめたトラック群に対して付けられたグループ名であり、携帯型ディジタルプレーヤはこのグループ単位で再生を管理することもできる。
【０００６】
ところで近年、内蔵記憶媒体を有するとともに着脱式記憶媒体を装着して使用可能な、２メディア併用型の携帯型ディジタルプレーヤが提案されている。２メディア併用型の携帯型ディジタルプレーヤにおいては、内蔵記憶媒体及び着脱式記憶媒体を併用して使用することができ、利便性が向上するものと考えられる。
【０００７】
２メディア併用型の携帯型ディジタルプレーヤは、着脱式記憶媒体が非装着の状態においては、内蔵記憶媒体に記憶されているトラックのみでプレイリストを作成し、着脱式記憶媒体が装着された状態においては、内蔵記憶媒体に記憶されているトラック及び着脱式記憶媒体に記憶されているトラックを統合してプレイリストを作成する。
【０００８】
【特許文献１】
特開２００１−３１１１０４号公報
【０００９】
【発明が解決しようとする課題】
【００１０】
ここで、かかる２メディア併用型の携帯型ディジタルプレーヤにおいて、着脱式記憶媒体が装着されていない状態での再生動作中に、新たに着脱式記憶媒体が装着されたとする。この場合、プレイリストには内蔵記憶媒体に記憶されたトラックのみが記載されているため、当該プレイリストに記載されていない着脱式記憶媒体のトラックは再生されない。
【００１１】
また、２メディア併用型の携帯型ディジタルプレーヤにおいて、着脱式記憶媒体が装着された状態での再生動作中に当該着脱式記憶媒体が脱着されたとする。この場合、プレイリストには脱着された着脱式記憶媒体に記憶されたトラックも記載されているため、プレイリストで指定されるトラックを再生することができない場合がある。
【００１２】
このように、２メディア併用型の携帯型ディジタルプレーヤにおいては、その再生動作中に着脱式記憶媒体が装着又は脱着された場合、再生可能なトラックとプレイリストの内容とに矛盾が生じ、再生動作に障害を生じる可能性があるという問題があった。
【００１３】
本発明は以上の点を考慮してなされたもので、再生中に着脱式の記憶媒体が着脱された場合でも、再生を継続しながら再生管理情報を適切に更新して、ユーザの使い勝手を一段と向上し得る再生装置及び再生制御方法を提案しようとするものである。
【００１４】
【課題を解決するための手段】
かかる課題を解決するため本発明においては、第１の記憶媒体と、第２の記憶媒体を着脱自在に装着する記憶媒体装着手段と、第１の記憶媒体及び記憶媒体装着手段に装着された第２の記憶媒体に記憶されているコンテンツデータのリストでなる再生管理情報を作成する管理情報作成手段と、再生管理情報に従って、第１の記憶媒体又は記憶媒体装着手段に装着された第２の記憶媒体からコンテンツデータを読み出して再生する再生手段と、第１の記憶媒体に記憶されているコンテンツデータの再生中に第２の記憶媒体が着脱されたとき、当該再生中のコンテンツデータを再生しながら第２の記憶媒体の有無に応じて再生管理情報を更新する管理情報更新手段とを再生装置に設けた。
【００１５】
そして再生手段は、コンテンツデータの再生中に第２の記憶媒体が着脱されたとき、当該再生中のコンテンツデータの再生終了後、更新された管理情報更新手段に従って上記コンテンツデータを再生するようにした。
【００１６】
第１の記憶媒体の再生中に第２の記憶媒体が装着または脱着された場合、再生を継続しながら再生管理情報を再構築し、再生中のトラックの再生終了後、再構築した再生管理情報に従って再生を行うようにしたことにより、再生を停止させることなく再生管理情報を適切に更新することができる。
【００１７】
【発明の実施の形態】
以下図面について、本発明の一実施の形態を詳述する。
【００１８】
図１において、１は本発明による再生装置としての２メディア併用型の携帯型ディジタルプレーヤ（以下、これを携帯型ディジタルプレーヤと呼ぶ）を示し、ＣＰＵ（Ｃｅｎｔｒａｌ  Ｐｒｏｃｅｓｓｉｎｇ  Ｕｎｉｔ  ）２に対してワークエリアとして用いられるＲＡＭ（Ｒａｎｄｏｍ  Ａｃｃｅｓｓ  Ｍｅｍｏｒｙ）３が接続されており、当該ＲＡＭ３に基本プログラムや各種アプリケーションプログラムを展開して実行することにより当該携帯型ディジタルプレーヤ１全体を統括制御するようになされている。
【００１９】
また携帯型ディジタルプレーヤ１においては、ＣＰＵ２に対して、ＰＬＡＹやＲＥＶ、ＲＥＣ等の動作モード、曲番号や再生経過時間、電池残量等の各種情報を表示するための液晶ディスプレイでなる表示部４、ユーザからの各種命令を与える操作部５、コンテンツデータとしてのオーディオデータを格納する第１の記憶媒体としてのＮＡＮＤ型フラッシュメモリ（以下これをフラッシュメモリと呼ぶ）６、着脱自在な第２の記憶媒体としてのメモリスティック（ソニー（株）商標）７を装着してオーディオデータのやり取りを行う記憶媒体装着手段としてのメモリスティックインターフェース８、外部のパーソナルコンピュータ（図示せず）とクレードル１５を介してオーディオデータのやり取りを行うＵＳＢ（Ｕｎｉｖｅｒｓａｌ  Ｓｅｒｉａｌ  Ｂｕｓ）インターフェース９、及びオーディオ信号処理部１０がバス１１を介して接続されている。またオーディオ信号処理部１０には、スピーカ又はヘッドフォン等でなる出力部１２が接続されている。
【００２０】
そしてＣＰＵ２は、後述する再生管理情報としてのプレイリストに従い、フラッシュメモリ６又はメモリスティック７からオーディオデータを読み出してオーディオ信号処理部１０に供給する。オーディオ信号処理部１０は供給されたオーディオデータを復調処理等して得られるオーディオ信号を生成し、出力部１２を介して出力する。
【００２１】
ここで、管理情報作成手段としてのＣＰＵ２は、メモリスティック７が装着されていない状態においては、フラッシュメモリ６に記憶されているトラックのみでプレイリストを構築するのに対し、メモリスティック７が装着されている状態においては、フラッシュメモリ６に記憶されているトラック及びメモリスティック７に記憶されているトラックの双方を用いてプレイリストを構築する。
【００２２】
かかる構成に加えて管理情報更新手段としてのＣＰＵ２は、メモリスティック７の着脱をメモリスティックインターフェース８を介して常に監視しており、再生動作中に当該メモリスティック７の装着又は脱着を検出した場合、メモリスティック７の有無に応じてプレイリストを再構築して更新するようになされている。
【００２３】
次に、上述した再生動作中におけるプレイリストの再構築を行うための再生管理処理手順を、図２に示すフローチャートを用いて詳細に説明する。
【００２４】
実際上、携帯型ディジタルプレーヤ１のＣＰＵ２は、ルーチンＲＴ１の開始ステップから入ってステップＳＰ１に移る。ステップＳＰ１において携帯型ディジタルプレーヤ１のＣＰＵ２は、記憶媒体を認識して当該携帯型ディジタルプレーヤ１で使用可能にするためのマウント処理を行う。すなわち、第１の記憶媒体としてのフラッシュメモリ６をドライブＮｏ．１としてマウントするとともに、第２の記憶媒体としてのメモリスティック７がメモリスティックインターフェース８に装着されている場合は、当該メモリスティック７をドライブＮｏ．２としてマウントし、次のステップＳＰ２に移る。
【００２５】
ステップＳＰ２において携帯型ディジタルプレーヤ１のＣＰＵ２は、マウントした記憶媒体に記憶されているトラックを用いてプレイリストを作成して、次のステップＳＰ３に移る。
【００２６】
ステップＳＰ３において、再生手段としてのＣＰＵ２は、マウントした記憶媒体からプレイリストに従ってトラックを順次読み出して再生する。
【００２７】
続くステップＳＰ４において、携帯型ディジタルプレーヤ１のＣＰＵ２は、メモリスティックインターフェース８を介してメモリスティック７の着脱を監視する。
【００２８】
ステップＳＰ４においてメモリスティック７の装着を検出した場合、これは図３（Ａ）に示すようにフラッシュメモリ６に記憶されたトラック（この場合ドライブＮｏ．１のトラックＮｏ．３）を再生中にメモリスティック７が装着された状態であり、このとき携帯型ディジタルプレーヤ１のＣＰＵ２はステップＳＰ５に移り、図３（Ｂ）に示すように、現在再生中のドライブＮｏ．１のトラックＮｏ．３を継続して再生しながらメモリスティック７をドライブＮｏ．２としてマウントし、次のステップＳＰ６に移る。
【００２９】
ステップＳＰ６において携帯型ディジタルプレーヤ１のＣＰＵ２は、図３（Ｃ）に示すように、フラッシュメモリ６に記憶されているトラック及び装着されたメモリスティック７に記憶されているトラックの双方を用いてプレイリストを再構築し、次のステップＳＰ７に移る。
【００３０】
ステップＳＰ７において携帯型ディジタルプレーヤ１のＣＰＵ２は、再生中のドライブＮｏ．１のトラックＮｏ．３の再生が終了すると、再構築したプレイリストに従って再生を開始した後、ステップＳＰ４に戻って再度メモリスティック７の着脱を監視する。ここで、携帯型ディジタルプレーヤ１の再生モードが通常再生モードである場合、再生終了したトラックの次のトラック（この場合ドライブＮｏ．１のトラックＮｏ．４）から再生を開始することにより、フラッシュメモリ６に記憶されているトラック及びメモリスティック７に記憶されているトラックを連続的に再生することができる。
【００３１】
これに対して、ステップＳＰ４においてメモリスティック７の脱着を検出した場合、携帯型ディジタルプレーヤ１のＣＰＵ２はステップＳＰ８に移り、現在再生中のトラックがメモリスティック７に記憶されているトラックであるか否かを判断する。
【００３２】
ステップＳＰ８において、再生中のトラックがメモリスティック７に記憶されているトラックではない場合、これは図４（Ａ）に示すように、フラッシュメモリ６に記憶されたトラック（この場合ドライブＮｏ．１のトラックＮｏ．３）を再生中にメモリスティック７が脱着された状態であり、このとき携帯型ディジタルプレーヤ１のＣＰＵ２はステップＳＰ９に移り、図４（Ｂ）に示すように、現在再生中のドライブＮｏ．１のトラックＮｏ．３を継続して再生しながらドライブＮｏ．２のメモリスティック７をアンマウントし、次のステップＳＰ１０に移る。
【００３３】
ステップＳＰ１０において携帯型ディジタルプレーヤ１のＣＰＵ２は、図４（Ｃ）に示すようにフラッシュメモリ６に記憶されているトラックのみを用いてプレイリストを再構築し、ステップＳＰ７に移る。
【００３４】
ステップＳＰ７において携帯型ディジタルプレーヤ１のＣＰＵ２は、再生中のドライブＮｏ．１のトラックＮｏ．３が再生終了すると、再構築したプレイリストに従って再生を開始した後ステップＳＰ４に戻り、再度メモリスティック７の着脱を監視する。ここで、携帯型ディジタルプレーヤ１の再生モードが通常再生モードである場合、再生終了したトラックの次のトラック（この場合ドライブＮｏ．１のトラックＮｏ．４）から再生を再開することにより、フラッシュメモリ６に記憶されているトラックを連続的に再生することができる。
【００３５】
これに対してステップＳＰ８において、再生中のトラックがメモリスティック７に記憶されているトラックである場合、これは図５（Ａ）に示すように、メモリスティック７に記憶されたトラック（この場合ドライブＮｏ．２のトラックＮｏ．２）を再生中に当該メモリスティック７が脱着された状態であり、このとき携帯型ディジタルプレーヤ１のＣＰＵ２はステップＳＰ１１に移り、図５（Ｂ）に示すように、現在再生中のトラックを再生停止するとともに、ドライブＮｏ．２のメモリスティック７をアンマウントし、次のステップＳＰ１２に移る。
【００３６】
ステップＳＰ１２において携帯型ディジタルプレーヤ１のＣＰＵ２は、図５（Ｃ）に示すようにフラッシュメモリ６に記憶されているトラックのみを用いてプレイリストを再構築し、ステップＳＰ１３に移る。
【００３７】
ステップＳＰ１３において携帯型ディジタルプレーヤ１のＣＰＵ２は、再構築したプレイリストに従って再生処理を再開した後ステップＳＰ４に戻り、再度メモリスティック７の着脱を監視する。
【００３８】
以上の構成において、携帯型ディジタルプレーヤ１のＣＰＵ２は、フラッシュメモリ６に記憶されたトラックの再生中にメモリスティック７の装着を検出した場合、現在再生中のトラックを継続再生しながらメモリスティック７をマウントし、フラッシュメモリ６及びメモリスティック７の双方に記憶されているトラックを用いてプレイリストを再構築する。そしてＣＰＵ２は、現在再生中のトラックの再生終了後、再構築したプレイリストに従って再生を行う。
【００３９】
また携帯型ディジタルプレーヤ１のＣＰＵ２は、フラッシュメモリ６に記憶されたトラックの再生中にメモリスティック７の脱着を検出した場合、現在再生中のトラックを継続再生しながらメモリスティック７をアンマウントし、フラッシュメモリ６に記憶されているトラックのみを用いてプレイリストを再構築する。そしてＣＰＵ２は、現在再生中のトラックの再生終了後、再構築したプレイリストに従って再生を行う。
【００４０】
これにより携帯型ディジタルプレーヤ１においては、フラッシュメモリ６に記憶されたトラックの再生中にメモリスティック７が着脱されても、再生を継続しながら、メモリスティック７の着脱を反映した適切なプレイリストに更新することができる。
【００４１】
以上の構成によれば、フラッシュメモリ６の再生中にメモリスティック７が装着または脱着された場合、現在再生中のトラックを継続再生しながらメモリスティック７をマウントまたはアンマウントした後にプレイリストを再構築し、再生中のトラックの再生終了後、再構築したプレイリストに従って再生を行うようにしたことにより、再生を停止させることなくプレイリストを適切に更新して再生を継続することができる。
【００４２】
（５）他の実施の形態
なお上述の実施の形態においては、再生動作中にメモリスティック７が着脱された場合、再生中のトラックを継続再生しながらプレイリストを再構築するようにしたが、オーディオデータやメモリスティック７に著作権管理のための暗号化処理が施されている場合や、携帯型ディジタルプレーヤ１の処理能力が低い場合、トラックの再生とプレイリストの再構築を同時には実行し得ないことが考えられる。
【００４３】
この場合、再生中のトラックのトラック番号及び再生停止位置を再生停止位置情報としてＲＡＭ３に記憶した後に再生を一時停止し、プレイリストの再構築後、再生停止位置情報に基づいて再生を再開するようにすれば、最小の停止期間で、ユーザに対して違和感を与えることなく継続再生を行うことができる。
【００４４】
また上述の実施の形態においては、内蔵した第１の記憶媒体としてのフラッシュメモリ６と、着脱自在な第２の記憶媒体としてのメモリスティック７とからオーディオデータを再生する携帯型ディジタルプレーヤ１に本発明を適用した場合について述べたが、本発明はこれに限らず、例えば２つ以上のメモリスティック７を装着可能なディジタルプレーヤ等、要は複数の記憶媒体を有し、そのうちの少なくとも一つが着脱可能なディジタルプレーヤに本発明を適用することができる。
【００４５】
さらに上述の実施の形態においては、第１の記憶媒体としてのフラッシュメモリ６及び第２の記憶媒体としてのメモリスティック７とからオーディオデータを再生する携帯型ディジタルプレーヤ１に本発明を適用した場合について述べたが、本発明はこれに限らず、映像データを再生するディジタルプレーヤにも本発明を適用することもできる。
【００４６】
さらに上述の実施の形態においては、本発明を再生装置としての携帯型ディジタルプレーヤ１に適用した場合について述べたが、本発明はこれに限らず、パーソナルコンピュータやＰＤＡ（Ｐｅｒｓｏｎａｌ  Ｄｉｇｉｔａｌ  Ａｓｓｉｓｔａｎｔ）等、種々の電子機器に本発明を適用することができる。
【００４７】
【発明の効果】
上述のように本発明によれば、内蔵された第１の記憶媒体の再生中に、着脱式の第２の記憶媒体が装着または脱着された場合、再生を継続しながら再生管理情報を再構築し、再生中のトラックの再生終了後、再構築した再生管理情報に従って再生を行うようにしたことにより、再生を停止させることなく再生管理情報を適切に更新することができる。
【図面の簡単な説明】
【図１】本発明の携帯型ディジタルプレーヤの回路構成を示すブロック図である。
【図２】再生管理処理手順を示すフローチャートである。
【図３】フラッシュメモリを再生中にメモリスティックが装着された場合の説明に供する略線図である。
【図４】フラッシュメモリを再生中にメモリスティックが脱着された場合の説明に供する略線図である。
【図５】メモリスティックを再生中に当該メモリスティックが脱着された場合の説明に供する略線図である。
【図６】プレイリストの説明に供する略線図である。
【符号の説明】
１……携帯型ディジタルプレーヤ、２……ＣＰＵ、３……ＲＡＭ、４……表示部、５……操作部、６……フラッシュメモリ、７……メモリスティック、８……メモリスティックインターフェース、９……ＵＳＢインターフェース、１０……オーディオ信号処理部、１１……バス、１２……出力部、１５……クレードル。
【図１】
2004240832.tif 000003
【図２】
2004240832.tif 000004
【図３】
2004240832.tif 000005
【図４】
2004240832.tif 000006
【図５】
2004240832.tif 000007
【図６】
2004240832.tif 000008